(57)【要約】      （修正有）【課題】ペットの体を撫でてマッサージすることにより、従来の物より癒し効果の高いペット用マッサージ器具の提供。【解決手段】ペットの体を撫でてマッサージするためのペット用マッサージ器具は、ペットの体に接触する接触面３を有する。接触面３には、所定方向に延びるように形成された複数の溝５と、各溝５の間に設けられる複数の突条部６とが形成されている。各突条部６は、接触面３と直交し且つ所定方向と直交する断面で見て三角形状を有する。各溝５は、断面で見て逆三角形状を有する。各突条部６には、該突条部６が延びる方向に沿って複数の切り欠きが形成されている。各切り欠きは溝５の底まで達しない深さである。【選択図】図３
2019024459.tif 000002
【特許請求の範囲】
【請求項１】
ペットの体を撫でてマッサージするためのペット用マッサージ器具であって、
ペットの体に接触する接触面を有し、
前記接触面には、所定方向に延びるように形成された複数の溝と、各溝の間に設けられる複数の突条部とが形成され、
各突条部は、前記接触面と直交し且つ前記所定方向と直交する断面で見て三角形状を有し、
各溝は、前記断面で見て逆三角形状を有し、
各突条部には、該突条部が延びる方向に沿って複数の切り欠きが形成されており、各切り欠きは前記溝の底まで達しない深さであることを特徴とするペット用マッサージ器具。
【請求項２】
前記複数の切り欠きは、第一の深さを有する第一の切り欠きと、前記第一の深さよりも浅い第二の深さを有する第二の切り欠きとを含むことを特徴とする請求項１記載のペット用マッサージ器具。
【請求項３】
前記第一の切り欠きはＵ字状であり、
前記第二の切り欠きは逆三角形状であり、
前記第一の切り欠きの間に複数の前記第二の切り欠きが配置されていることを特徴とする請求項２記載のペット用マッサージ器具。
【請求項４】
各突条部を前記断面で見たとき、前記三角形状の３つの角のうちペットの体に当たる頂角が、前記３つの角の中で最小の角度を有することを特徴とする請求項１から３のうち何れか一記載のペット用マッサージ器具。
【請求項５】
前記接触面と直交する方向から見て、前記複数の溝と前記複数の突条部とは円弧状に形成されていることを特徴とする請求項１から４のうち何れか一記載のペット用マッサージ器具。
【請求項６】
前記複数の溝の深さは３．５ｍｍから４．５ｍｍであることを特徴とする請求項１から５のうち何れか一記載のペット用マッサージ器具。
【発明の詳細な説明】
【技術分野】
【０００１】
本発明は、ペットの体を撫でてマッサージするためのペット用マッサージ器具に関する。
【背景技術】
【０００２】
ペットの抜け毛を収集するペットの抜け毛取り器として、略長方形の台板（１）の下面側に、該台板（１）の長手方向に平行して、等間隔に複数枚の板（２）の上辺部を取り付け、前記板（２）の下辺部に複数個の爪（３）を設けたものが知られている（例えば、特許文献１参照。）。また、ペットのマッサージ器具として、上方に持ち手部分を形成し、下方に複数の軸芯とローラーを設けたものも知られている（例えば、特許文献２参照。）。
【先行技術文献】
【特許文献】
【０００３】
【特許文献１】特開２００４−２８３１４９号公報
【特許文献２】特開２０１４−０５４３１０号公報
【発明の概要】
【発明が解決しようとする課題】
【０００４】
本発明は、ペットの体を撫でてマッサージすることにより、従来の物より癒し効果の高いペット用マッサージ器具を提供することを目的とする。
【課題を解決するための手段】
【０００５】
上記目的を達成するために、本発明は、ペットの体を撫でてマッサージするためのペット用マッサージ器具であって、ペットの体に接触する接触面を有し、接触面には、所定方向に延びるように形成された複数の溝と、各溝の間に設けられる複数の突条部とが形成され、各突条部は、接触面と直交し且つ所定方向と直交する断面で見て三角形状を有し、各溝は、断面で見て逆三角形状を有し、各突条部には、該突条部が延びる方向に沿って複数の切り欠きが形成されており、各切り欠きは溝の底まで達しない深さであるペット用マッサージ器具を提供している。
【０００６】
ここで、複数の切り欠きは、第一の深さを有する第一の切り欠きと、第一の深さよりも浅い第二の深さを有する第二の切り欠きとを含むのが好ましい。
【０００７】
更に、第一の切り欠きはＵ字状であり、第二の切り欠きは逆三角形状であり、第一の切り欠きの間に複数の第二の切り欠きが配置されているのが好ましい。
【０００８】
また、各突条部を断面で見たとき、三角形状の３つの角のうちペットの体に当たる頂角が、３つの角の中で最小の角度を有するのが好ましい。
【０００９】
接触面と直交する方向から見て、複数の溝と複数の突条部とは円弧状に形成されているのが好ましい。
【００１０】
また、複数の溝の深さは３．５ｍｍから４．５ｍｍであるのが好ましい。
【発明の効果】
【００１１】
請求項１記載のペット用マッサージ器具によれば、複数の溝と複数の突条部と複数の切り欠きとによって、やすりの目のような模様が形成され、これでペットの体を撫でるとざらざらとした感触をペットに与え、ペットにマッサージを行うことができるとともに癒しを与えることができる。また、各突条部が断面視三角形状を有し、各溝が断面視逆三角形状を有するため、ペットの毛が溝に入り込んだとしても除去しやすく、目詰まりを抑制することができる。
【００１２】
請求項２記載のペット用マッサージ器具によれば、複数の切り欠きは、第一の深さを有する第一の切り欠きと、これよりも浅い第二の深さを有する第二の切り欠きとを含む。第一の切り欠きの部分と第二の切り欠きの部分とはペットの体に当たる感触が異なるため、より複雑な感触をペットに与えることができ、癒し効果を高めることができる。
【００１３】
請求項３記載のペット用マッサージ器具によれば、第一の切り欠きはＵ字状であり、第二の切り欠きは逆三角形状である。このような形状により、更に癒し効果を高めることができる。
【００１４】
請求項４記載のペット用マッサージ器具によれば、各突条部を断面で見たとき、三角形状の３つの角のうちペットの体に当たる頂角が、３つの角の中で最小の角度を有する。このため、適度に尖った頂角の部分がペットの体に当たるため、マッサージ効果を高めることができる。
【００１５】
請求項５記載のペット用マッサージ器具によれば、接触面と直交する方向から見て、複数の溝と複数の突条部とは円弧状に形成されている。このため、長手方向の一端側でマッサージする場合と他端側でマッサージする場合とで撫でたときの感触が変わるため、使い分けをすることができる。
【００１６】
請求項６記載のペット用マッサージ器具によれば、複数の溝の深さは３．５ｍｍから４．５ｍｍである。実験を行った結果、この深さより浅いと、突条部がペットの皮膚に届かずマッサージ効果が弱まり、逆に、この深さより深いと、突条部がペットの皮膚に強く当たり、ペットが痛がることがあることが分かった。このため、このような深さが好ましい。
【図面の簡単な説明】
【００１７】
【図１】本発明の実施形態によるペット用マッサージ器具を示す上面図。
【図２】実施形態によるペット用マッサージ器具を示す側面図。
【図３】実施形態によるペット用マッサージ器具の接触面を斜めから見た斜視図。
【図４】複数の突条部のうちの１個を示す斜視図。
【図５】図１のＶ−Ｖ線断面の一部を示す断面図。
【図６】突条部に形成された切り欠きを示す図。
【図７】変形例を示す図であって、図５に対応する断面図。
【図８】別の変形例を示す図であって、図５に対応する断面図。
【発明を実施するための形態】
【００１８】
本発明の実施形態によるペット用マッサージ器具について図１から図６に基づき説明する。
【００１９】
図１から図６に示すペット用マッサージ器具１は、猫や犬などのペットの体を撫でてマッサージするための器具である。
【００２０】
ペット用マッサージ器具１は、長手方向（Ｘ方向）に延びるベース部２（図２）と、ベース部２の一面に形成された接触面３（マッサージ面）とを有する。接触面３は、ペットの体を撫でる際にペットの体に接触する面である。なお、図１では、便宜上、後述する切り欠き７，８の図示を省略している。
【００２１】
ベース部２は、接触面３と直交する方向（Ｚ方向）から見て、丸みを帯びた長板状の部材であり、一端側２Ａよりも他端側２Ｂの方がＹ方向（Ｘ方向及びＺ方向に直交する方向）に広くなっている。これに対応して、ベース部２に形成される接触面３も、一端側２Ａよりも他端側２Ｂの方がＹ方向に広くなっている。このため、ペットを撫でる際に、接触面３の広い側と狭い側とを適宜使い分けることができる。
【００２２】
図３に示すように、接触面３には、複数の溝５と複数の突条部６とが互いに平行に並ぶように形成されている。各突条部６は、各溝５の間に設けられる。各溝５及び各突条部６は、ほぼＹ方向に沿って延びる。厳密には、各溝５及び各突条部６は、図１から分かるように緩やかな円弧状に沿って延びる。
【００２３】
図４及び図５に示すように、各突条部６は、接触面３と直交し且つＹ方向と直交する断面（Ｖ−Ｖ線断面）で見て三角形状を有する。これに対応して、各溝５は、当該断面で見て逆三角形状を有する。
【００２４】
各突条部６を前記断面で見たとき、三角形状の３つの角のうちペットの体に当たる頂角が、３つの角の中で最小の角度を有する。即ち、図５に示すように、突条部６の断面に形成される三角形ＡＢＣの３つの角のうち、頂角Ａが最小の角度を有する。
【００２５】
また、三角形ＡＢＣは二等辺三角形ではなく、辺ＡＢの方が辺ＡＣよりも急峻な角度となっている。このため、ペットの体に対して接触面３を滑らせる方向に応じて、異なる感触をペットに与えることができる。
【００２６】
図４，図６に示すように、各突条部６には、突条部６が延びる方向に沿って複数の切り欠き７，８が形成されている。各切り欠き７，８は、溝５の底まで達しない深さである。
【００２７】
複数の切り欠き７，８は、第一の切り欠き７と第二の切り欠き８とを含む。図６に示すように、第一の切り欠き７はＵ字状であり、第二の切り欠き８は逆三角形状である。第一の切り欠き７の深さは、第二の切り欠き８の深さよりも深い。
【００２８】
第一の切り欠き７の間に、複数の第二の切り欠き８が配置されている。即ち、本実施形態では、２個の第一の切り欠き７の間に３個の第二の切り欠き８が配置されている。
【００２９】
また、図３に示すように、複数の突条部６に形成された第一の切り欠き７は、長手方向（Ｘ方向）に並ぶ。このように長手方向に並んだ複数の第一の切り欠き７によって、浅い溝が形成されている。更に、第二の切り欠き８によって細かい凹凸が形成され、やすり或いは猫の舌のようなザラザラ感を実現する。
【００３０】
なお、一例では、溝５の深さは約４ｍｍである。また、第一の切り欠き７の深さは約１ｍｍであり、第二の切り欠き８の深さは約０．５ｍｍである。従って、第一の切り欠き７の深さは溝５の深さの１／４である。また、第二の切り欠き８の深さは、第一の切り欠き７の深さの１／２である。
【００３１】
本実施形態によるペット用マッサージ器具１を使用する際には、例えば、一端側２Ａ又は他端側２Ｂを持ち、ペットの体に対して接触面３を接触させ、Ｙ方向に動かすようにしてペットの体を撫でる。一端側２Ａと他端側２Ｂとで太さが異なり、また、各溝５と各突条部６とが円弧状に形成されているため、一端側２Ａと他端側２Ｂとの何れを持つかによってペットを撫でた際に与える感触が異なる。
【００３２】
本実施形態によるペット用マッサージ器具１によれば、複数の溝５と複数の突条部６と複数の切り欠き７，８とによって、やすりの目のような模様が形成される。これでペットの体を撫でるとざらざらとした感触をペットに与え、ペットにマッサージを行うことができるとともに癒しを与えることができる。
【００３３】
また、各突条部６が断面視三角形状を有し、各溝５が断面視逆三角形状を有するため、ペットの毛が溝に入り込んだとしても除去しやすく、目詰まりを抑制することができる。
【００３４】
また、複数の切り欠き７，８は、第一の深さを有する第一の切り欠き７と、これよりも浅い第二の深さを有する第二の切り欠き８とを含む。第一の切り欠き７はＵ字状であり、第二の切り欠き８は逆三角形状である。第一の切り欠き７の部分と第二の切り欠き８の部分とはペットの体に当たる感触が異なるため、より複雑な感触をペットに与えることができ、癒し効果を高めることができる。
【００３５】
また、各突条部６を断面で見たとき、三角形状の３つの角のうちペットの体に当たる頂角Ａ（図５）が、３つの角の中で最小の角度を有する。このため、適度に尖った頂角Ａの部分がペットの体に当たるため、マッサージ効果を高めることができる。
【００３６】
また、接触面３と直交する方向（Ｚ方向）から見て、各溝５と各突条部６とは円弧状に形成されている。このため、長手方向（Ｘ方向）の一端側を持った場合と他端側を持った場合とでペットを撫でたときの感触が変わり、使い分けをすることができる。
【００３７】
また、ペット用マッサージ器具１を、短毛種（比較的毛が短い種類）の猫や犬に用いることを想定した場合、溝５の深さは３．５ｍｍから４．５ｍｍであるのが好ましい。実際の猫に対して実験を行った結果、溝５がこの深さより浅いと（２〜３ｍｍ）突条部６がペットの皮膚に届かずマッサージ効果が弱まり、逆に、溝５がこの深さより深いと（５ｍｍ）突条部６がペットの皮膚に強く当たり、ペットが痛がることがあった。
【００３８】
本発明によるペット用マッサージ器具は上述した実施形態に限定されず、特許請求の範囲に記載した範囲で種々の変形や改良が可能である。
【００３９】
例えば、接触面３の形状は任意である。
【００４０】
突条部６は、その断面に形成される三角形ＡＢＣが二等辺三角形となるような形状であってもよく、或いは、三角形ＡＢＣが直角三角形（例えば辺ＡＢと辺ＢＣとで形成される角が直角）となるような形状であってもよい。
【００４１】
また、図７に示すように、辺ＡＣが曲線となるように突条部１６が形成されてもよい。この場合、頂角Ａの角度が小さくなる（鋭角的となる）ため、頂角Ａがペットの皮膚に当たりやすくなり、より刺激を与えることができる。また、溝１５の開口が広くなるため、毛詰まりをより一層抑制することができる。
【００４２】
或いは、図８に示すように、溝２５及び突条部２６を形成してもよい。即ち、突条部２６がＸ方向に関して一方に倒れたような形状に形成されてもよい。この場合、辺ＡＢと辺ＢＣとで形成される角が鈍角（９０度より大）となっている。この場合、ペット用マッサージ器具１をＸ方向に関して一方に滑らせる場合と反対方向に滑らせる場合とで、非常に異なる感触をペットに与えることができる。
【００４３】
上記実施形態では、接触面３と直交する方向（Ｚ方向）から見て、各溝５と各突条部６とは円弧状に形成されていたが、直線状に形成されていてもよい。
【００４４】
また、複数の切り欠き７，８の数や位置、形状も任意である。
【産業上の利用可能性】
【００４５】
以上のように本発明にかかるペット用マッサージ器具は、猫や犬などのペットの体を撫でてマッサージする器具として有用である。
【符号の説明】
【００４６】
１  ペット用マッサージ器具、
２  ベース部、  ２Ａ  一端側、  ２Ｂ  他端側、
３  接触面、  ５  溝、  ６  突条部、
７  第一の切り欠き、  ８  第二の切り欠き、
１５  溝、  １６  突条部、
２５  溝、  ２６  突条部。
【図１】
2019024459.tif 000003
【図２】
2019024459.tif 000004
【図３】
2019024459.tif 000005
【図４】
2019024459.tif 000006
【図５】
2019024459.tif 000007
【図６】
2019024459.tif 000008
【図７】
2019024459.tif 000009
【図８】
2019024459.tif 000010